(57)【要約】【課題】仏像やマリア像などの例えば宗教的精神的色彩を帯びた造形体に間接的な光の照射を組み合わせて独特な造形体の光雰囲気を醸し出すと共に、造形体の形状自体も間接的な光の造形と組み合わされて単なる造形された形状以上の雰囲気を与えることができる造形体の背光照明装置を提供せんとするものである。【解決手段】造形体の背光照明装置は、前面を向いた造形体と、造形体の後方に光照射すべく造形体の背部に設けた照明体と、照明体からの照射光を投影すべく照明体の更に後方に配置した背面投影板とよりなる。【選択図】図１
2018094199.tif 000002
【特許請求の範囲】
【請求項１】
前面を向いた造形体と、
造形体の後方に光照射すべく造形体の後方に設けた照明体と、
照明体からの照射光を投映すべく照明体の更に後方に配置した背面投影板と、よりなる造形体の背光照明装置。
【請求項２】
造形体の背部に設けた照明体は、造形体と一体に形成した背景造形体に組み込まれている請求項１に記載の造形体の背光照明装置。
【請求項３】
背景造形体の表面側に一定形状の溝部を形成し、
該溝部中に中空のチューブ体に一定間隔でＬＥＤチップを内蔵した発光チューブを嵌着し、発光チューブのＬＥＤチップ位置に対応した溝底部に背景造形体の内部と連通した放熱用透孔を穿設した請求項２に記載の造形体の背光照明装置。
【請求項４】
背景造形体の外表面の所定位置には外表面を多面体にカットしたガラス粒子を配設した請求項２に記載の造形体の背光照明装置。
【請求項５】
背面投影板は半透明な背面投影板とした
請求項１から４の何れか１項に記載の造形体の背光照明装置。
【発明の詳細な説明】
【技術分野】
【０００１】
この発明は、マリア像や仏像や人物、動物像などの造形体の背後に設けた光源から背光造形体の背光照射装置に関する。
【背景技術】
【０００２】
従来、例えば、造形体照明の一例として、仏像等においては、仏像の背後に配置した背光装置を照明体で構成し、仏像の背光を光で表わして仏像等の造形体の周辺背後を背光により照射して仏像そのものに背光造形を加えた幻想的な宗教的な雰囲気を醸し出す技術がある（例えば、特許文献１）。
更には、造形体内部からの光を造形体の全周壁面に形成した多数の透孔から後方の壁面の全方向に照射し、後方の壁面には透孔からの光を映像化して投映し、ランプシェードとしての光の映像の楽しみを与えるようにしたものがある（例えば、特許文献２）。
これらは、いずれの技術も造形体と光との組み合わせを基調としており、光をどこからどの方向にどのような技術手段で照射し映像化するかを種々の技術的観点から開発したものであった。
【先行技術文献】
【特許文献】
【０００３】
【特許文献１】特開平８−１７３３０５号公報
【特許文献２】特開平５−２０５５０９号公報
【特許文献３】特開２００９−１８１９０３号公報
【発明の概要】
【発明が解決しようとする課題】
【０００４】
しかしながら、従来の背光を利用した特許文献１の仏像等の造形体は、仏像の背光の光照射を利用することによって仏像の雰囲気や背光形態のバリエーションを変化させ看者に仏像の厳かさを付与するに過ぎないものであった。
更に、特許文献３では、中空状のランプシェード内に照源ランプを内蔵し、透光孔を穿設して全方向への放射光によるランプシェード自体の美しさと、その透光孔からの光照射が壁面に映し出されたという光の乱舞の楽しみを与えるようにしたものである。
しかし、発散する光及び後方の遮断壁面への照射光を視認し楽しむことはできるものの、造形体の形状に宗教的な精神的造形を付与して、光との調和の中で造形体の形状に含まれた意義を看者に印象付けるような光、特に逆光とのコラボレーションの構成を楽しむということができるものではなかった。
すなわち、特許文献３では、もっぱら光の投映映像を楽しむだけに力点がおかれた技術であり、従って、光の各種変化をどのように看者に認識させて楽しませるかということにのみ終始するものであった。
このように、従来の技術では、造形体で表現した宗教的精神的意義を光とのコラボレーションにより看者に付与するというものではなかった。
【０００５】
この発明では、宗教的色彩を帯びた造形体に後方の背面投影板からの逆光線よりなる間接的な光の照射を組み合わせて独特な造形体に光雰囲気を醸し出すと共に、逆光の淡い光により造形体の表情を映し出し、かつ全体輪郭を浮かび上がらせて造形体の荘厳な雰囲気を光によって醸し出し、造形された形状以上の雰囲気を与えることができるようにした造形体の背光照明装置を提供せんとするものである。
【課題を解決するための手段】
【０００６】
請求項１の発明は、前面を向いた造形体と、造形体の後方に光照射すべく造形体の後方に設けた照明体と、照明体からの照射光を投映すべく照明体の更に後方に配置した背面投影板と、よりなる造形体の背光照明装置に関する。
【０００７】
請求項２の発明は、照明体は、造形体の背部に設けつつ造形体と一体に形成した背景造形体に組み込まれていることを特徴とする。
【０００８】
請求項３の発明は、背景造形体の表面側に一定形状の溝部を形成し、該溝部中に中空のチューブ体に一定間隔でＬＥＤチップを内蔵した発光チューブを嵌着し、発光チューブのＬＥＤチップ位置に対応した溝底部に背景造形体の内部と連通した放熱用透孔を穿設したことを特徴とする。
【０００９】
請求項４の発明は、背景造形体の外表面の所定位置に外表面を多面体にカットしたガラス粒子を配設したことを特徴とする。
【００１０】
請求項５の発明は、背面投影板を半透明な背面投影板としたことを特徴とする。
【発明の効果】
【００１１】
請求項１の発明によれば、背面投影板からの反射光は逆光線としてマリア像に干渉され遮断されるためマリア像の前面は暗淡雰囲気（空間）の中で視認される反面、その周辺では、逆光と非干渉光とが相俟ってマリア像の輪郭を明確に浮かび上がらせて前方のマリア像の形状以上の宗教的精神的な荘厳な雰囲気を醸し出すことができる効果を有する。
【００１２】
請求項２の発明によれば、照明体は造形体の背部に設けつつ造形体と一体に形成した背景造形体に組み込まれており、造形体の背面に付設した中空状で略半円球の背景造形体は周壁に所定形状の光透孔を設けると共に、その中空内部に照明体を収納したことにより、造形体に照明体を組み込む必要がなく、従って、造形体の形態を自由に形成してより宗教的精神的意義を有する形態とすることができる効果がある。
【００１３】
請求項３の発明によれば、発光チューブは溝部の左右側面や底面によって囲まれ、ＬＥＤチップの熱はＬＥＤチップの背面に位置する放熱用透孔から排熱して、ＬＥＤチップの冷却を効率良く行えるようにしたので、発光チューブの形態を変化させれば、背面投影板に投映する光の映像を種々変えることができると共に、照明体の構造を簡便に、かつ、経済的に有利に構成することができ、発光効率も良好となり安定した造形体への逆光照明を可能とする効果がある。
【００１４】
請求項４の発明によれば、背景造形体の外表面の所定位置に外表面を多面体にカットしたガラス粒子を配設したことにより、背景造形体からの漏光と共に光透孔から所定の投影光が側方の投影面体に投影されることに加えて、外表面を多面体にカットしたガラス粒子からも内部からの光が透光して乱反射により拡散した乱光が背面投影板、天井面、床面、壁面等の投影面体に投影され複雑に投影光が重なった光のオブジェを形成し、看者に光の錯覚の楽しさを倍増することができる。
また、ガラス粒子は背景造形体の表面に形成した凹部へ埋設することができ、ガラス粒子の固定を確実に行うと共に、ガラス粒子を介して凹部の内底面からの淡い光を拡散することができる。
【００１５】
請求項５の発明によれば、背面投影板を半透明な背面投影板としたので、背面投影板からの反射光は逆光線として造形体に干渉され遮断されるため造形体の前面は暗淡雰囲気（空間）の中で視認される反面、その周辺では、逆光と非干渉光とが相俟って造形体の輪郭を明確に浮かび上がらせて前方の造形体の形状以上の宗教的精神的な荘厳な雰囲気を醸し出すことができる効果を有する。
また、造形体に照明体を組み込む必要がなく、従って、造形体の形態を自由に形成してより宗教的精神的意義を有する形態とすることができる効果がある。
かかる半透明な背面投影板を設置することにより、半透明な背面投影板の前面に造形体の照明体からの照射光を投影しつつプロジェクター装置から投影する映像を半透明な背面投影板に重畳することができる。半透明な背面投影板には、照明体からの照射光とプロジェクター装置からの映像とを重畳し組み合わせた合成映像が表示されることとなり、造形体の設置場所に応じて、さまざまな合成映像に作り変えて多種の光演出を行うことができる。
【図面の簡単な説明】
【００１６】
【図１】造形体の背光照明装置の正面図。
【図２】造形体の背光照明装置の側面図。
【図３】造形体の背光照明装置の背面図。
【図４】造形体の背光照明装置の断面説明図。
【図５】照明体からの光の拡散を示す模式図。
【図６】他の光透孔の形状を示す背面図。
【図７】（ａ）照明装置の正面図（ｂ）造形体に組み込んだ照明装置の断面図。
【図８】他の照明体の断面説明図。
【図９】他の造形体の背光照明装置の正面図。
【図１０】他の造形体の背光照明装置の背面図。
【図１１】他の造形体の背光照明装置の側面図。
【図１２】（ａ）背景造形体の環状溝部と透孔とを示す正面図。（ｂ）環状溝部に間埋設したチューブ体を示す正面図。
【図１３】図１２（ｂ）中のＡ−Ａ断面図。
【図１４】チューブ体の要部を示す平面図。
【図１５】他の造形体の背光照明装置を示す構成図。
【図１６】他の造形体の背光照明装置の側面図。
【図１７】他の造形体の背光照明装置の平面図。
【図１８】他の造形体の背光照明装置の断面説明図。
【図１９】ガラス粒子を埋設した造形体の背光照明装置の背面図。
【図２０】ガラス粒子を埋設した造形体の背光照明装置の断面説明図。
【図２１】ランプシェードの凹部にガラス粒子を貼着した形態を示す断面図。
【図２２】（ａ）ガラス粒子の正面図（ｂ）ガラス粒子の平面図（ｃ）ガラス粒子の底面図。
【図２３】（ａ）ガラス粒子の斜視図（ｂ）ガラス粒子の斜視図。
【図２４】ガラス粒子のカット面より放射した投影像を表わした図。
【図２５】ランプシェードの凹部にガラス粒子を貼着した第２形態を示す断面図。
【図２６】ランプシェードの凹部にガラス粒子を貼着した第３形態を示す断面図。
【図２７】造形体と背景造形体とを着脱自在としたことを示す斜視図。
【図２８】（ａ）他の背面投影板を示す正面図。（ｂ）他の背面投影板を示す平面図。
【図２９】他の造形体の背光照明装置の正面図。
【図３０】他の造形体の背光照明装置の側面図。
【図３１】（ａ）他の照明体の断面図。（ｂ）他の照明体の断面図。
【図３２】半透過の背面投影板を用いた造形体の背光照明装置の側面図。
【図３３】照明体およびプロジェクター装置から光や映像を半透過の背面投影板に移した模式図。
【図３４】（ａ）照明装置の正面図（ｂ）造形体に組み込んだ照明装置と半透過の背面投影板を示す説明図。
【図３５】造形体と半透過の背面投影板とを示す説明図。
【図３６】半透過の背面投影板を用いた造形体の背光照明装置の側面図。
【図３７】半透過の背面投影板を用いた造形体の背光照明装置の側面図。
【図３８】デザインフィルターを用いた造形体の背光照明装置の側面図。
【図３９】デザインフィルターを用いた造形体の背光照明装置からの光の拡散を示す模式図。
【図４０】半透過の背面投影板及びデザインフィルターを用いた造形体の背光照明装置の側面図。
【図４１】半透過の背面投影板及びデザインフィルターを用いた造形体の背光照明装置の正面図。
【発明を実施するための形態】
【００１７】
この発明の実施例を図面に基づき詳説する。
この発明は、基本的には前面に向いた造形体Ａとその背部に設けて後方を照射する照明体Ｂとさらに照明体Ｂの後方に配置して照明体Ｂからの光を投影する背面投影板Ｃとの組み合わせ、必要に応じて、前面を向いた造形体Ａの背部に一体に背景造形体Ｄを形成するようにしている。
【００１８】
図１〜図４は、本発明の主たる実施例の構成を示す正面図、側面図、背面図、断面説明図である。
【００１９】
本発明は、造形体Ａと照明体Ｂと背面投影板Ｃとした構成よりなる。
【００２０】
造形体Ａは、基本的に宗教的又は精神的思想を具現化した立像、座像より構成されている。
前面を向いた造形体Ａは、例えばマリア立像（例えば、図１〜図４参照）であったり、仏座像（例えば、図２９、３０参照）他にキリスト像、女神像、観音像であったりするが、これらに限定されず、宗教的精神的思想に関連する動物あるいは建築物であっても良く、例えば鶴や龍やキリンや西洋の代表的な教会などの建物、十字架、王冠などが考えられる。
造形体Ａは、陶磁器や磁器や合成樹脂や金属やガラス等で造形されており、材質は限定されない。
【００２１】
しかも、必要により内部を中空に形成したり、内部充填の塊体に形成している。
この構造は以下に説明する照明体Ｂを背部に装着する構造によって各種選択することができる。
以下には、造形体Ａを中空に形成しその背後を開口しその開口部に着脱自在に蓋体Ｇを設けた構造に関して説明する。
【００２２】
この造形体Ａの中空部には造形体の後方を照射するための照明体Ｂが収納されている。
照明体Ｂは、例えば、フィラメント型のランプ、ＬＥＤ、超小型プロジェクター等で構成する。
照明体Ｂとしては、後述する光透孔を形成したフィルターと光源とを一体にした照明装置の実施例や、或いは、複数のＬＥＤを中空チューブに内蔵して発光チューブとした実施例がある。
かかる照明体Ｂは造形体Ａの中空内部に収納した形態や後述するように内部充填の造形体Ａの背面に装着する形態や造形体の後方でかつ造形体と背面投影板との間とする形態など各種の構造が考えられる。
【００２３】
この照明体Ｂの更に後方には、照射光を投映するために背面投影板Ｃを配置している。
背面投影板Ｃは、前面に配置した造形体Ａのマリア像の外形より外方にはみ出した大きさとしている。すなわち、背面投影板Ｃの左右方向の幅員は、造形体Ａの幅員より大きくかつ背面投影板Ｃの上下方向の高さは造形体Ａの高さより大きい。このように背面投影板Ｃを造形体Ａより大きく構成することで、造形体Ａの背面から照射された照射光が造形体Ａ外形より外方にはみ出すように背面投影板Ｃに大きく映し出される。
背面投影板Ｃとしては、例えば、建物の壁面や床面や天井面、スクリーンボード、半透明フィルム等を利用する。なお、半透明フィルムを用いた背面投影板Ｃの実施例については、別途後述する。
例えば、背面投影板Ｃをスクリーンボードとすることで、照明体Ｂの照射光を効率よく逆光線として造形体Ａ側に反射することができる。
背面投影板Ｃの設置方法としては、天井から吊るす構造としてもよいし、四角枠に固定して立設する構造としてもよい。
【００２４】
かかる造形体Ａと照明体Ｂと背面投影板Ｃからなる構成によって、照明体Ｂを点灯した場合に、宗教的色彩を帯びた仏像やマリア像などの造形体Ａに、造形体Ａよりも大きく形成した後方の背面投影板Ｃからの逆光線よりなる間接的な光が照射されて造形体Ａの全体輪郭が逆光線により浮かび上がり独特な造形体Ａの形状の光雰囲気を醸し出し、さらに、造形体Ａには、造形体Ａの前面の顔の形状自体も逆光線から造形体周辺に漏れた間接的な光によって単なる造形された形状以上の宗教的、精神的な雰囲気を与えることができる。
【００２５】
また、照明体Ｂを造形体Ａに装着する構造として造形体Ａの後方のみに光照射するような形態構造や、或いは、発光チューブを用いて造形体の後方と後方斜め方向にも光照射すべき位置構造とする場合がある。
【００２６】
以下に照明体Ｂを造形体Ａに装着する具体的な構造について説明する。
図１から図４に示すように、造形体Ａは内部を中空に形成しており、後面開口の中空内部に照明体Ｂを収納しておき、後面の開口部には蓋体Ｇを装着自在に閉蓋している。
蓋体Ｇには光透孔１１を穿設してこの光透孔１１から照明体Ｂの光が照射されるように構成されている。
【００２７】
照明体Ｂを点灯すると、造形体Ａ背部の後方に配置した背面投影板Ｃに光透孔１１を透過した所定の光が照射され、光による所定の光映像が背面投影板Ｃ上に投映され、この光映像が背面投影板Ｃから前方に反射され、造形体Ａの背後から逆光線として看者に認識され、造形体Ａの宗教的精神的思想や宗教的形状を背後から逆光線で照らし、造形体Ａの美観のみならず宗教的雰囲気や宗教的陰影などの現出機能を果たす。
【００２８】
すなわち、図５に示すように、照明体Ｂからの光Ｌ１は、中空の造形体Ａの背面に装着された蓋体Ｇの透孔１１を通過してスクリーンボードＳに照射され、スクリーンボードＳには透孔１１からなる光映像が投映される。その後、照明体Ｂからの光Ｌ１はスクリーンボードＳで反射されて逆光線Ｌ２となり、造形体Ａのマリア像に干渉されないで前方に漏れてきた逆光の淡い光は造形体のマリア像の表情を映し出すようになる。
また、スクリーンボードＳからの逆光線Ｌ２は、マリア像に干渉されて、マリア像の正面は逆光線の陰影の陰の部分になるが、かかる逆光陰影の中でマリア像の周辺の非干渉光となって、造形体Ａの外周方で拡散した光Ｌ３は、マリア像の逆光陰影と相俟って、光Ｌ４がマリア像の輪郭を浮かび上がらせてマリア像の荘厳な雰囲気を光によって醸し出すことができる。
なお、光透孔１１は、造形体Ａの背部に構成するようにしてもよい。背面投影板Ｃに半透明なフォルムを用いた場合には光透孔１１からなる光映像を投影しつつ別途設けたプロジェクター装置から投影する映像を重畳して組み合わせた合成映像を投影して多彩な光の演出を行うことができる。
【００２９】
蓋体Ｇに設けられる光透孔１１の形状は、背面投影板Ｃに投影される光の形状種別や光の反射光の形態等を考慮して各種の形状に構成することができる。
例えば、放射状に複数の長孔を穿設した形状とすれば、看者は複数の長孔が作り出す放射状の光映像を造形体Ａの後光として視認することができると共に、その反射光が造形体Ａの背後から逆光線として看者に視認されて光の陰影の中で造形体Ａ形状の宗教的、精神的な意義をつくり出すことができる。
【００３０】
なお、照明体Ｂは、通常の照源ランプ１７を用いるが、さらに、ランプのフィラメント形状を工夫することにより、光透孔１１から照射する光に変化を与えることができる。図４中の符号１７ａは照源ランプ１７のソケットであり、１７ｂは電気配線であり、１８は照源ランプ１７に電気を供給する電源である。
【００３１】
［光透孔の各種形状］
特に、蓋体Ｇに穿設した光透孔１１の形状を種々変化させることにより背面投影板Ｃへ投影される光の形状が種々変化し、造形体Ａの宗教的精神的雰囲気をより変化させることができる。
【００３２】
例えば、前述のように図６の光透孔１１を１２本の長孔に形成し放射線状に配置することにより放射線状の光映像をスクリーンに投映できる。
【００３３】
また、図７に示すように、造形体Ａの中空部に収納する照明体は、箱型形状のフィルター本体Ｆ１で構成することもできる。あるいは、図３８に示すように、照明体を内蔵した箱型形状のフィルター本体Ｆ１は造形体とスクリーンとの間に設けるようにしてもよい。この実施形態については後述する。
すなわち、造形体Ａの中空部内に照源ランプ１７を内蔵する箱型のフィルター本体Ｆ１を収納し、フィルター本体Ｆ１に前面開口部Ｆ２を設けて、この前面開口部Ｆ２に光映像を形成するデザインフィルターＦを設け、このデザインフィルターＦには円形の孔と放射形状の複数の長孔から構成した光透孔１１を形成している。
また、造形体の中空部に収納する照明体は、超小型プロジェクターで構成することもできる。
【００３４】
すなわち、光透孔１１を形成したデザインフィルターＦを交換すると、光透孔１１の種類によって、種々の映像光の変化をスクリーン上で楽しむことができる。
更には、蓋体Ｇの一部に蓋体開口部Ｇ１を形成しこれに拡縮自在としたレンズ機構Ｌを装着すると、レンズ機構Ｌの操作によって、造形体Ａ内部の照源ランプ１７と背面投影板Ｃとの間の映像結像距離を調節することができ、背面投影板Ｃまでの距離が短い場合でも光透孔１１からの映像を鮮明に映すことができる。
なお、箱型のフィルター本体Ｆ１は、造形体Ａの中空部内に収納しなくても造形体Ａの背面に連設するものであってもよい。
【００３５】
また、照明体Ｂは、図８に示すように照源ランプ１７の後方に反射鏡１９を配設する構成とし、反射鏡１９により光透孔１１から出射する光量を増加することができ、更にはスクリーンＳからの逆光線の光量も増加し造形体Ａのマリア像に干渉されないで前方に漏れてきた逆光の淡い光はより一層造形体のマリア像の表情を映し出すようになる。
また、スクリーンボードＳからの逆光線Ｌ２は、マリア像に干渉されてマリア像の正面は逆光線の陰影の陰の部分になるが、かかる逆光陰影の中においてマリア像周辺の非干渉光はマリア像を側面及び正面から照らすことになり、このように背景造形体Ｄの外周方で拡散した光Ｌ３がマリア像の逆光陰影と相俟ってマリア像の輪郭を浮かび上がらせてマリア像の荘厳な雰囲気を醸し出すことができる。
【００３６】
さらに、図８に示すように、造形体Ａ内部には、照明体Ｂの照源ランプ１７を造形体Ａ内部の壁面に沿って上下移動自在に設けている。
すなわち、造形体Ａの内壁面には照源ランプ１７を移動自在とするレール２０が敷設され、このレール２０に沿ってソケット１７ａが上下可動に設けられている。
【００３７】
かかる照明体Ｂがレール２０に沿って上下方向に移動することにより、各光透孔１１から照射する方向や光量が変化し、背景造形体Ｄの外方に拡散する光量は上下方向で変化することになる。従って、背面投影板Ｃに投映される光映像は上下方向において明暗化し、造形体Ａの宗教的雰囲気を造形体Ａに対する逆光雰囲気の中でより一層看者に醸し出すことができる。
【００３８】
なお、造形体Ａの中空部内には上下方向とともに前後方向にも可動する前後レール機構を設けるようにしてもよい。
このように照明体Ｂが前後方向に移動可能となる前後レール機構を設けることにより、背景造形体Ｄの外方に拡散する光量を前後方向で変化させることができ、上下方向の移動と共に、背面投影板Ｃに投映される像を明暗調整することができる。
【００３９】
中空部の造形体Ａ内には特に照明体Ｂを収納することなく照明体の照源ランプ１７の代わりに発光チューブ８０を造形体Ａの背面に設けることができる。
すなわち、中空の造形体Ａの蓋体Ｇの表面に装着或いは、内部充填の造形体Ａの背面に装着することができる。
具体的には、図９から図１５に示すように、内部充填又は中空の造形体Ａの背部に環状溝部Ｄ１を形成し、溝部Ｄ１内に発光チューブ８０を埋設している。発光チューブ８０は、透明や半透明の中空のチューブ体８１に一定間隔でＬＥＤチップ８２ａを内蔵して構成している。
環状溝部Ｄ１の溝底部には、造形体Ａの内部に形成した排熱空間と連通した放熱用の透孔１１ａ等が所定間隔ごとに形成され発光チューブ８０の発光熱を放熱するように構成している。
【００４０】
チューブ体８１の中空部には、放熱基板８２ｂに実装したＬＥＤチップ８２ａを電気的に接続したＬＥＤ照源ランプ８２（図１５参照）と、光の屈折率の大きい側面放射用屈折体８３ａ，８３ｂとを内蔵している。
【００４１】
図１５に示すように、複数のＬＥＤチップ８２ａを内部配線８４ａ，８４ｂを介して接続構成したＬＥＤ照源ランプ８２は、駆動用の電源部８５と接続される。また、電源部８５には、外部コントローラ９０からの信号に基づいてＬＥＤの調光や点灯間隔を制御するため本体制御部８６が接続されている。図中、８１ａはチューブ体８１の内壁であり、８１ｂは配線孔を示す。８４ｃ，８４ｄは配線であり、８４ｅ，８４ｆは電気コネクタであり、９１は子機制御部であり、８６ａは通信部であり、９１ａは通子チップであり、９２は電池である。
【００４２】
さらに、チューブ体８１の長手方向の左右中途下部には、チューブ体８１内を冷却するエアーを供給排出するエアー供給孔８１ｃ及びエアー排出孔８１ｄがそれぞれ穿設されている。
【００４３】
チューブ体８１の内壁には、ＬＥＤチップ８２ａの発光面から垂直方向の内壁部分を除く両壁にそれぞれ略三角形状の側面放射用屈折体８３ａ，８３ｂが長手方向に形成されている。側面放射用屈折体８３ａ，８３ｂは、光の屈折率が大きい断面視略円弧を三分割して形成している。
【００４４】
発光チューブ８０は外部コントローラ９０により点灯・消灯・調光・色の変更等を操作することができる。
【００４５】
ＬＥＤ照源ランプ８２を空冷するために、造形体Ａ内に設けたエアー供給部８８には供給用エアー管８７ａと排出用エアー管８７ｂを介してチューブ体８１下部のエアー供給孔８１ｃとエアー排出孔８１ｄとをそれぞれ連通しており、チューブ体８１内で空気の流通を行って空冷するように構成している。なお、図１２（ａ）中、１１ｃ、１１ｄは環状溝部Ｄ１の底部に穿設したエアー排出穿設孔とエアー供給穿設孔を示し、排出用エアー管８７ｂの終端と供給用エアー管８７ａの端部が連通連結している。１１ｂは環状溝部Ｄ１の底部に穿設した配線穿設孔を示し、ＬＥＤ照源ランプ８２の外部配線８４ｃ，８４ｄを連通している。８４ｅ、８４ｆは外部配線８４ｃ，８４ｄ、電源部８５とを接続するコネクタである。
【００４６】
チューブ体８１は環状溝部Ｄ１から周面半分を突出するように埋設されており、チューブ体８１の中空内壁、特に外方半周面に対応する内部には光の屈折率が大きい側面放射用屈折体８３ａ，８３ｂを内蔵している。従って、ＬＥＤチップ８２ａが点灯した際、その出射光の一部が側面放射用屈折体８３ａ，８３ｂに入射し、大きく屈折して、突出したチューブ体８１を透過した光は造形体Ａの表面に沿って斜後方に出射拡散されるため、その出射拡散光が造形体に陰影を付加して、それを見た看者には幻想的な印象を与える効果がある。
上記した発光チューブ８０は、チューブの特質を活用して変形可能であるため発光チューブ８０を自在に変形して、例えば造形体Ａのマリア像の背面において背面投影板Ｃへの光照射の形態を自在に変更できるような形状に折曲して装着することが可能である。
また、必要に応じて発光チューブ８０を造形体Ａの胴部や脚部や首部に囲繞状態として装着することも可能である。このように発光チューブ８０を単なる造形体Ａの背面に平面的に装着する以外に立体的に変形させて、造形体Ａへの光照射を背面投影板Ｃからの逆光線のみならず直接的が立体的に発光チューブ８０から光の照射をすることにより、造形体Ａの宗教的精神的意義をより高めることが可能となる。
【００４７】
なお、チューブ体の材質は透明以外の半透明な材質であってもよい。
【００４８】
また、照明体を造形体Ａの背面に設けた空間に内蔵することができる。
次に図２９から図３１に示す照明体１４０は、投影する光の模様を背面投影板Ｃの上下左右の方向に自由に投影できる機構を備えており、同装置には内臓した光源ランプ１４２と、半球状の本体１４４と、本体１４４の内周を回転自在とする回転体１４５とからなる。
【００４９】
摺動体１４５は、本体１４４の内周を回転自在な湾曲した構造としており、回転体１４５が本体１４４の内周面を上下左右の方向に回転することで、背面投影板Ｃへの各種の光模様の位置を自在に変更することができる。図３１中の符号１４６は回転体１４５に形成したリング形状の光透孔に透明なガラスを嵌めこんでいる。
【００５０】
図２９及び図３０に示す仏座像Ａ’は、同仏座像の背面に空間を設けて照明体１４０を内蔵したものである。照明体１４０を同仏座像の背面の空間に内蔵することにより、見た目の良い同仏座像を得ることができる。
【００５１】
背面投影板Ｃは、造形体Ａの後方すなわち照明体Ｂの照射方向に配置される。
造形体Ａと一体に構成しても良く、或いは建築造作物の壁面を利用したり、造形体Ａの背後に垂設したスクリーンであっても良い。要は照明体Ｂからの光照射を写すものであればよく、光模様により造形体Ａの背後の景色を形成し、造形体Ａと一体となって造形体Ａの背光を含んだ独特の雰囲気の景色を看者に認識させる機能を果たすと共に、背面投影板Ｃに照射した光模様が逆光線として造形体Ａに独特の陰影をつけた雰囲気を醸し出すものである。
【００５２】
実施例の造形体Ａや照明体Ｂや背面投影板Ｃは、上記ように構成されているものであり、以下においては、他の実施例に関する技術としての背景造形体Ｄを詳説する。
【００５３】
上記した実施例では、照明体を造形体の中空内部に収納した構造や造形体の背面に装着した構造を説明したが、かかる構造以外に次のように造形体の背面に別途背景造形体を付設して背景造形体に照明体を設ける実施例がある。
【００５４】
図１６から図１８に示すように、背景造形体Ｄは、造形体Ａの背面に付設可能に構成した中空状の略半円球体とすると共に、その周壁に所定形状の光透孔１１を設け、しかも、その中空内部に照明体Ｂを収納した構造としている。
【００５５】
仮に造形体Ａをマリア立像とした場合には、マリア像の背部を削除してマリア像の正面部分のみを残したマリア半立像とし、その背部に縦半割の略半錐体や半円球状に構成した背景造形体Ｄを付設する。
【００５６】
また、背景造形体Ｄは、図１８に示すように内部に照明体Ｂを収納可能な中空体１０に構成すると共に、背景造形体Ｄの壁面１０ａには、種々の形状の孔からなる光透孔１１を穿設している。
かかる光透孔１１の形状はすでに中空の造形体Ａの蓋体Ｇに形成した光透孔１１と同様であり、造形体の形状やその意義や背光の種類等の多くの要件を勘案して種々の形状に形成することができる。
【００５７】
上記のように構成された背景造形体の壁面１０ａの所定位置には、外表面を多面体にカットしたガラス粒子を配設する。
【００５８】
以下に、ガラス粒子を背景造形体の所定位置に配設する実施例について図１９から図２６を参照しながら説明する。
本形態では、ガラス粒子、例えば、スワロフスキー粒子（「スワロフスキー」は登録商標である）のようなガラス粒子を造形体Ａの背部、すなわち背景造形体Ｄの周壁や光透孔に埋設或いは貼着したことに特徴を有するものであり、これらに着色を施して、投影光に色彩を表現するようにしても良い。
【００５９】
かかるガラス粒子の乱反射機能が単なる光反射機構だけではなく近辺に配した投影面体に投影した際に、照源ランプ３の光源の形が多数の光透孔等からの投影像と同形でかつ小さな縮尺像として投影され、しかも、ガラス粒子のカット面の数だけ多数投影される。
【００６０】
以下、図面を用いながら、釉薬を施さない陶磁器製の背景造形体表面にガラス粒子を配設した構造について詳細に説明する。
【００６１】
図１９から図２１に示すように、背景造形体の周壁１１には多数の凹部７を形成しその凹部７内にガラス粒子８を埋設している。
他の実施例では凹部７の底部を開口した貫通孔として背景造形体Ｄ内部に連通し、開口部は外に向かって漏斗形状（図２６参照）に構成している。
また、他の実施例では凹部７の底部開口部に薄膜７ａ（図２５参照）を張設している。
なお、薄膜７ａは約１ｍｍ程度の厚みとし浸透性の高い樹脂１６を含浸させてガラス粒子８を接着している。
【００６２】
ガラス粒子８は、底面８ｂから入射した光Ｌを前面８ａの多角面から放射可能な透明材質としており、ガラス粒子８は透明なものや赤色、青色、黄色、緑色等の多数の色彩からなる。
【００６３】
なお、スワロスキー粒子の材質は、ガラスに酸化鉛を２４％以上含有し、透明度が高く、屈折率１．５２以上としている。
【００６４】
図２２及び図２３のスワロフスキー粒子８の光の反射の形態について説明する。すなわち、図２１に示すように、パビリオン部８ｅから光源の光が入射すると、１つの光源の光が８個の各下部ガードルファセット８ｉと１６個の各下部メインファセット８ｊにそれぞれ入射し、入射した光はスワロフスキー粒子８内を反射してクラウン部８ｃの８個の各スターファセット８ｇと８個の各上部メインファセット８ｈからそれぞれ外部に放射されることになり、図２４に示すように幅の細い縮尺Ｖ字形状の大小投影像６１，６２が大小交互に仮想円Ｃ上に並んだ映像として投影されて造形体Ａの背後や周辺の投影面体に映し出される。図２２及び図２３中の８ｄはガードル部である。
【００６５】
図２６に示すように、背景造形体Ｄの光透孔２２の近接位置、例えば、３ｍｍ程度の離れた位置にガラス粒子８の下半分を埋没させた場合は、光源からの光は光透孔２２を透過してガラス粒子８のクラウン部８ｃの一部のカット面より入射して乱反射しテーブル８ｆから放射され弱い輝きを放つこととなる。
【００６６】
また、図２７に示すように、造形体Ａと略半円球の背景造形体Ｄは、着脱自在の構成としてもよい。造形体Ａの背面に背景造形体Ｄを一体に組み立てる際には、照明体Ｂの光が嵌着面から漏れでない密着構造としている。
【００６７】
このように背景造形体Ｄを着脱自在とする構成とすることにより、スクリーンに映す各種の光映像を交換で変更することができ、看者の嗜好にあった光の演出を行うことができる。
【００６８】
更には、背景造形体Ｄの全周に所定形状の光透孔を形成することにより、造形体の外周面側方から種々の光が周囲に発散して後方のみならず背面投影板と一定の角度をもって立設された側壁面等に光投映を行うことができる。例えば壁などに孔雀模様の光パターンや花模様の光パターンが投影されることになり、造形体周辺の光の変化と共に更に造形体周辺の空間全体に美麗な光の投映空間を形成することができる効果がある。
【００６９】
なお、背面投影板は単に造形体の背後に平面的に配置するだけではなく、図２８に示すように平面視略コの字状にしたり平面視山型状とすることにより投影される光の映像を背面投影板Ｃにも映して空間全体の映像の変化も楽しむことができる。
【００７０】
このように発光チューブ８０を背景造形体Ｄの表面に装着する場合、背景造形体Ｄの背面には環状溝部Ｄ１を形成し溝部内には中空のチューブ体に一定間隔でＬＥＤチップを内蔵した発光チューブ８０を埋設する。
環状溝部Ｄ１の溝底部には、背景造形体Ｄの内部に形成した排熱空間と連通した放熱用の透孔１１ａ等が所定間隔ごとに形成され発光チューブ８０の発光熱を放熱するように構成している。
【００７１】
以下の実施例は、背面投影板Ｃに半透明フィルムを使用したものである。この半透明フィルムは、造形体Ａ背部の光透孔１１を透過した所定の光が照射されると、光による所定の光映像が投映できると共に、同フィルムの裏面側に設置したプロジェクター装置からの映像を重ねて投影することができ、同フィルムの表側からは、２つの映像を視認できるフィルム構造を備えている。以下、図３２から図４１では、上述した説明と同一符号を付して重複する説明を一部省略する。また、背面投影板Ｃに半透明フィルムを使用した光演出は各例においても同様の効果を有するので重複する説明を一部省略する。
【００７２】
図３２及び図３３に示す造形体の背光照射装置は、図１〜図５に示す造形体の背光照射装置の構成のうち、背面投影板Ｃに半透明フィルムを使用した点と造形体Ａと壁面Ｗとの間に背面投影板Ｃを立設した点と別途プロジェクター装置を壁面Ｗ上部に設けた点が異なる。
【００７３】
図３２及び図３３に示すように、半透明な背面投影板Ｃはプロジェクター装置Ｐｊの映像を投影可能とした半透明なフィルムで構成している。半透明なフィルムには、同フィルムを介しても背景が透けるような同等の機能を有する黒色の半透明フィルムや乳白色の半透明フィルムも含まれるものである。
【００７４】
かかる半透明な背面投影板Ｃを造形体Ａの背面と壁面Ｗとの間に設置することにより、半透明な背面投影板Ｃの前面に造形体Ａ内の照明体Ｂからの照射光Ｌ１を造形体Ａ後方の光透孔１１から透過して光映像を投影しつつ背面投影板Ｃの背面に設置したプロジェクター装置Ｐｊから投影する映像Ｌａを半透明な背面投影板Ｃに重畳することができる。半透明な背面投影板Ｃには、照明体Ｂからの照射光Ｌ１とプロジェクター装置Ｐｊからの映像Ｌａとを重畳し組み合わせた合成映像が表示されることとなり、造形体の設置場所に応じて、さまざまな合成映像に作り変えて多種の光演出を行うことができる。
【００７５】
なお、プロジェクター装置Ｐｊは、造形体Ａの背面側の壁面Ｗに設置したが、背面投影板Ｃの背面又は前面に映像を投影できるのであれば設置場所は特に限定する必要がない。
【００７６】
具体的には、図３３に示すように、照明体Ｂを点灯すると、照明体Ｂからの光Ｌ１は、中空の造形体Ａの背面に装着された蓋体Ｇの透孔１１を通過して半透明な背面投影板ＣとしてのスクリーンボードＳに照射され、スクリーンボードＳには透孔１１からなる光映像が投映される。その後、照明体Ｂからの光Ｌ１はスクリーンボードＳで反射されて逆光線Ｌ２となり、造形体Ａのマリア像に干渉されないで前方に漏れてきた逆光の淡い光は造形体のマリア像の表情を映し出すようになる。
また、スクリーンボードＳからの逆光線Ｌ２は、マリア像に干渉されて、マリア像の正面は逆光線の陰影の陰の部分になるが、かかる逆光陰影の中でマリア像の周辺の非干渉光となって、造形体Ａの外周方で拡散した光Ｌ３は、マリア像の逆光陰影と相俟って、光Ｌ４がマリア像の輪郭を浮かび上がらせてマリア像の荘厳な雰囲気を光によって醸し出すことができる。
なお、光透孔１１は、造形体Ａの背部に構成するようにしてもよい。背面投影板Ｃに半透明なフォルムを用いた場合には光透孔１１からなる光映像を投影しつつ別途設けたプロジェクター装置から投影する映像を重畳して組み合わせた合成映像を投影して多彩な光の演出を行うことができる。
【００７７】
しかも、半透明な背面投影板Ｃの背面には、プロジェクター装置Ｐｊを設置しており、この半透明な背面投影板Ｃには、プロジェクター装置Ｐｊから投影する映像Ｌａを半透明な背面投影板Ｃの背面に投影して、さらに、照明体Ｂの光Ｌ１と重畳した合成映像が表示される。半透明な背面投影板Ｃを用いることにより造形体の設置場所（例えば、寺や教会）に応じて、さまざまな合成映像に作り変えて多種の光演出を行うことができる。
なお、逆光線Ｌ２には、照明体Ｂからの光Ｌ１の反射光とプロジェクター装置Ｐｊからの映像Ｌａの光とを含まれる。
【００７８】
次に、図３４に示す造形体の背光照射装置は、図７に示す造形体の背光照射装置の構成うち、背面投影板Ｃに半透明フィルムを使用した点と造形体Ａと壁面Ｗとの間に背面投影板Ｃを立設した点と別途プロジェクター装置を壁面Ｗ上部に設けた点が異なる。
【００７９】
造形体Ａ内には、光透孔１１を形成したデザインフィルターＦを内蔵しており、フィルター本体Ｆ１のデザインフィルターＦを交換することにより、様々なデザインの光透孔１１よって、種々の映像光の変化を半透明なスクリーン上に投影して楽しむことができる。
【００８０】
さらに、この半透明な背面投影板Ｃには、壁面Ｗに設置したプロジェクター装置Ｐｊから投影する映像を同半透明な背面投影板Ｃの背面から投影すると共に、光透孔１１からの光と重畳した合成映像を表示することができる。半透明な背面投影板Ｃを用いることにより造形体の設置場所（例えば、教会）に応じて、さまざまな合成映像に作り変えて多種の光演出を行うことができる。
【００８１】
また、造形体Ａ後方の蓋体Ｇには、同蓋体Ｇの一部に蓋体開口部Ｇ１を形成しこれに拡縮自在としたレンズ機構Ｌを装着する構成としている。このレンズ機構Ｌの操作により、造形体Ａ内部の照源ランプ１７と背面投影板Ｃとの間の映像結像距離を調節することができ、背面投影板Ｃまでの距離が短い場合でも光透孔１１からの映像を鮮明に映すことができる。
なお、箱型のフィルター本体Ｆ１は、造形体Ａの中空部内に収納しなくても造形体Ａの背面に連設するものであってもよい。
【００８２】
図３５に示す造形体の背光照射装置は、図８に示す造形体の背光照射装置の構成のうち、背面投影板Ｃに半透明フィルムを使用した点と造形体Ａと壁面Ｗとの間に背面投影板Ｃを立設した点と別途プロジェクター装置を壁面Ｗ上部に設けた点が異なる。
【００８３】
かかる構成とすることで、この半透明な背面投影板Ｃには、プロジェクター装置Ｐｊから投影する映像を半透明な背面投影板Ｃの背面に投影して、さらに、光透孔１１からの光の映像とを重畳した合成映像が表示される。半透明な背面投影板Ｃを用いることにより造形体の設置場所（例えば、教会）に応じて、さまざまな合成映像に作り変えて多種の光演出を行うことができる。
【００８４】
図３６に示す造形体の背光照射装置は、図１１に示す造形体の背光照射装置のうち、背面投影板Ｃに半透明フィルムを使用した点と造形体Ａと壁面Ｗとの間に背面投影板Ｃを立設した点と別途プロジェクター装置を壁面Ｗ上部に設けた点が異なる。
【００８５】
かかる構成とすることで、この半透明な背面投影板Ｃには、プロジェクター装置Ｐｊから投影する映像を半透明な背面投影板Ｃの背面に投影して、さらに、発光チューブ８０からの光の映像とを重畳した合成映像が表示される。半透明な背面投影板Ｃを用いることにより造形体の設置場所（例えば、教会）に応じて、さまざまな合成映像に作り変えて多種の光演出を行うことができる。
【００８６】
図３７に示す造形体の背光照射装置は、図２９に示す造形体の背光照射装置のうち、背面投影板Ｃに半透明フィルムを使用した点と造形体Ａ’と壁面Ｗとの間に背面投影板Ｃを立設した点と別途プロジェクター装置を壁面Ｗ上部に設けた点が異なる。
【００８７】
また、半透明な背面投影板Ｃを造形体Ａ’の背面に設置することにより、半透明な背面投影板Ｃの前面に造形体Ａ’の照明体Ｂからの照射光Ｌ１を投影しつつ背面投影板Ｃの背面に設置したプロジェクター装置Ｐｊから投影する光や映像Ｌａを半透明な背面投影板Ｃに重畳することができる。すなわち、半透明な背面投影板Ｃには、照明体Ｂからの照射光Ｌ１とプロジェクター装置Ｐｊからの映像Ｌａとを重畳し組み合わせた合成映像が表示されることとなり、造形体Ａ’の設置場所に応じて、さまざまな合成映像に作り変えて多種の光演出を行うことができる。
【００８８】
なお、図２０に示す造形体の背光照射装置においても、上述した実施例と同様に、壁面Ｗと造形体Ａの間に半透明な背面投影板Ｃを設置して、さらに、プロジェクター装置Ｐｊを壁面Ｗ上部に設けることで、合成映像による多種の光演出を行うことができる。
【００８９】
［フィルターの他の例］
ここでは、造形体Ａ’の後方に設けた照明体Ｂを内蔵した箱型形状のフィルター本体Ｆ１の実施形態について詳説する。
図３８及び図３９に示す箱型のフィルター本体Ｆ１は、内部に照明体Ｂを内蔵し、同本体Ｆ１の前面開口部に光映像を形成するデザインフィルターＦを設けており、このデザインフィルターＦには光透孔１１を形成している。
【００９０】
フィルター本体Ｆ１は、脚付きスタンドの先端に配設される。フィルター本体Ｆ１は、造形体Ａ’後方の近接した位置で、かつ、造形体Ａ’とスクリーンボードＳとの間に設置している。
デザインフィルターＦには複数の光透孔１１を設けており、この光透孔１１から同本体Ｆ１内の照明体Ｂの光が照射されるように構成されている。
【００９１】
フィルター本体Ｆ１内の照明体Ｂを点灯すると、造形体Ａ’の後方に配置した背面投影板Ｃには、デザインフィルターＦの光透孔１１を透過した所定の光Ｌ１が照射され、光による所定の光映像が同背面投影板Ｃ上に投映され、この光映像が背面投影板Ｃから前方に反射され、造形体Ａ’の背後から逆光線として看者に認識され、造形体Ａ’の宗教的精神的思想や宗教的形状を背後から逆光線で照らし、造形体Ａ’の美観のみならず宗教的雰囲気や宗教的陰影などの現出機能を果たす。
【００９２】
さらに、照明体Ｂからの光Ｌ１は、スクリーンボードＳで反射されて逆光線Ｌ２となり、造形体Ａ’に干渉されないで前方に漏れてきた逆光の淡い光は造形体Ａ’の表情を映し出すようになる。
また、スクリーンボードＳからの逆光線Ｌ２は、造形体Ａ’に干渉されて、造形体Ａ’の正面は逆光線の陰影の陰の部分になるが、かかる逆光陰影の中で造形体Ａ’の周辺の非干渉光となって、造形体Ａ’の外周方で拡散した光Ｌ３は、造形体Ａ’の逆光陰影と相俟って、光Ｌ４が造形体Ａ’の輪郭や姿を浮かび上がらせて造形体Ａ’の荘厳な雰囲気を光によって醸し出すことができる。
【００９３】
図４０及び図４１に示す造形体の背光照射装置は、図３８に示す造形体の背光照射装置の構成のうち、背面投影板Ｃを半透明な背面投影板Ｃとし、壁面Ｗにプロジェクター装置Ｐｊを設置した点が異なる構成である。なお、図４０中の背面投影板Ｃは天井に吊った状態を示したものである。
【００９４】
造形体Ａ’の後方に設けた照明体Ｂを点灯すると、造形体Ａ’の後方に配置した背面投影板ＣにデザインフィルターＦの光透孔１１を透過した所定の光Ｌ１が照射され、光による所定の光映像が背面投影板Ｃ上に投映されると共に、背面投影板Ｃの背面に設置したプロジェクター装置Ｐｊから投影する光や映像Ｌａを半透明な背面投影板Ｃに重畳することができる。すなわち、半透明な背面投影板Ｃには、照明体Ｂからの照射光Ｌ１とプロジェクター装置Ｐｊからの映像Ｌａとを重畳し組み合わせた合成映像が表示されることとなり、造形体Ａ’の設置場所に応じて、さまざまな合成映像に作り変えて多種の光演出を行うことができる。
【００９５】
さらに、照明体Ｂからの光Ｌ１とプロジェクター装置Ｐｊからの映像Ｌａの光は、スクリーンボードＳで反射及び透過されて逆光線Ｌ２となり、造形体Ａ’に干渉されないで前方に漏れてきた逆光の淡い光は造形体Ａ’の表情を映し出すようになる。
また、スクリーンボードＳからの逆光線Ｌ２は、造形体Ａ’に干渉されて、造形体Ａ’の正面は逆光線の陰影の陰の部分になるが、かかる逆光陰影の中で造形体Ａ’の周辺の非干渉光となって、造形体Ａ’の外周方で拡散した光Ｌ３は、造形体Ａ’の逆光陰影と相俟って、光Ｌ４が造形体Ａ’の輪郭や姿を浮かび上がらせて造形体Ａ’の荘厳な雰囲気を光によって醸し出すことができる。このような様々な光演出により造形体Ａ’の美観のみならず宗教的雰囲気や宗教的陰影などの現出機能を果たすことができる。
【００９６】
本造形体の背光照明装置にロボット機能としての手や腕や頭や上半身が動き、さらに移動する動作機能や双方向の会話機能や環境や会話に応じてさまざまな表情に変更する表情機能を備えた構成であってもよい。
以上、本発明の好ましい実施の形態について説明したが、本発明は係る特定の実施形態に限定されるものではなく、特許請求の範囲に記載された本発明の要旨の範囲内において、種々の変形・変更が可能である。
【符号の説明】
【００９７】
Ａ，Ａ’  造形体
Ｂ  照明体
Ｃ  背面投影板
Ｇ  蓋体
Ｐｊ  プロジェクター装置
Ｓ  スクリーンボード
Ｗ  壁面
１０  中空体
１１  光透孔
【図１】
2018094199.tif 000003
【図２】
2018094199.tif 000004
【図３】
2018094199.tif 000005
【図４】
2018094199.tif 000006
【図５】
2018094199.tif 000007
【図６】
2018094199.tif 000008
【図７】
2018094199.tif 000009
【図８】
2018094199.tif 000010
【図９】
2018094199.tif 000011
【図１０】
2018094199.tif 000012
【図１１】
2018094199.tif 000013
【図１２】
2018094199.tif 000014
【図１３】
2018094199.tif 000015
【図１４】
2018094199.tif 000016
【図１５】
2018094199.tif 000017
【図１６】
2018094199.tif 000018
【図１７】
2018094199.tif 000019
【図１８】
2018094199.tif 000020
【図１９】
2018094199.tif 000021
【図２０】
2018094199.tif 000022
【図２１】
2018094199.tif 000023
【図２２】
2018094199.tif 000024
【図２３】
2018094199.tif 000025
【図２４】
2018094199.tif 000026
【図２５】
2018094199.tif 000027
【図２６】
2018094199.tif 000028
【図２７】
2018094199.tif 000029
【図２８】
2018094199.tif 000030
【図２９】
2018094199.tif 000031
【図３０】
2018094199.tif 000032
【図３１】
2018094199.tif 000033
【図３２】
2018094199.tif 000034
【図３３】
2018094199.tif 000035
【図３４】
2018094199.tif 000036
【図３５】
2018094199.tif 000037
【図３６】
2018094199.tif 000038
【図３７】
2018094199.tif 000039
【図３８】
2018094199.tif 000040
【図３９】
2018094199.tif 000041
【図４０】
2018094199.tif 000042
【図４１】
2018094199.tif 000043